(57)【要約】【課題】  吸気弁の作用角が小さいために吸気管負圧が低くなるときに供給された燃料が壁面に付着してしまうのを効果的に抑制する。【解決手段】  燃料供給が行われる内燃機関の燃料供給制御装置において、吸気弁２のバルブ開特性に応じて燃料供給時期を決定する。すなわち、吸気弁２の作用角が所定値以下のときには吸気行程に同期させて燃料噴射弁１５から燃料を供給する。また、吸気弁２の作用角が上記所定値よりも大きいときには吸気行程が開始する前に燃料供給を完了させるようにする。【選択図】      図２
2005307984.tif 000002
【特許請求の範囲】
【請求項１】
燃料供給が行われる内燃機関の燃料供給制御装置において、吸気弁のバルブ開特性に応じて燃料供給時期を決定し、吸気弁の作用角が所定値以下のときには、吸気行程に同期させて燃料を供給することを特徴とする内燃機関の燃料供給制御装置。
【請求項２】
吸気弁の作用角が前記所定値よりも大きいときには、吸気行程が開始する前に燃料供給を完了させることを特徴とする請求項１に記載の内燃機関の燃料供給制御装置。
【請求項３】
燃料供給が行われる内燃機関の燃料供給制御装置において、吸気弁のバルブ開特性に応じて燃料供給時期を決定し、吸気弁の作用角が小さくなるに従って燃料供給時期を遅角させることを特徴とする内燃機関の燃料供給制御装置。
【発明の詳細な説明】
【技術分野】
【０００１】
本発明は内燃機関の燃料供給制御装置に関する。
【背景技術】
【０００２】
従来、燃料供給が行われる内燃機関の燃料供給制御装置が知られている。この種の内燃機関の燃料供給制御装置の例としては、例えば特許文献１に記載されたものがある。特許文献１に記載された内燃機関の燃料供給制御装置では、例えば吸気弁及び排気弁のバルブオーバラップ量の変化速度を制限することにより、供給された燃料のうち、壁面に付着する燃料の量が急激に変化してしまうことを防止している。
【０００３】
【特許文献１】特開平１０−３３１６７０号公報
【発明の開示】
【発明が解決しようとする課題】
【０００４】
ところが、特許文献１に記載された内燃機関の燃料供給制御装置では、供給された燃料が壁面に付着してしまう問題を解決するために、吸気弁及び排気弁のバルブオーバラップ量が制御されているものの、特許文献１には、吸入空気量が少ないとき、あるいは、吸気管負圧が低いときに燃料供給時期をどのように制御すべきかについて開示されていない。一方で、燃料を蒸発させて均質な混合気を形成するために燃料を早めに供給する場合、吸入空気量が多いときには、供給された燃料が壁面に付着してもその付着燃料が吸入空気によって再び持ち去られるものの、吸入空気量が少ないときには、供給された燃料が持ち去られることなく壁面に付着したままになってしまう。また、吸気管負圧が高いときには、供給された燃料が蒸発し易いために壁面に付着しづらいものの、吸気管負圧が低いときには、供給された燃料が蒸発しづらいために壁面に付着してしまう。従って、吸入空気量が少ないとき、あるいは、吸気管負圧が低いときに燃料供給時期をどのように制御すべきかについて開示されていない特許文献１に記載された内燃機関の燃料供給制御装置によっては、吸入空気量が少ないときや、吸気管負圧が低いときに、供給された燃料が壁面に付着してしまうのを効果的に抑制することができないおそれがあった。
【０００５】
前記問題点に鑑み、本発明は吸入空気量が少ないときや、吸気管負圧が低いときに、供給された燃料が壁面に付着してしまうのを効果的に抑制することができる内燃機関の燃料供給制御装置を提供することを目的とする。
【課題を解決するための手段】
【０００６】
本発明は、上記課題を解決するための手段として、特許請求の範囲の各請求項に記載された内燃機関の燃料供給制御装置を提供する。
【０００７】
請求項１に記載の発明によれば、燃料供給が行われる内燃機関の燃料供給制御装置において、吸気弁のバルブ開特性に応じて燃料供給時期を決定し、吸気弁の作用角が所定値以下のときには、吸気行程に同期させて燃料を供給することを特徴とする内燃機関の燃料供給制御装置が提供される。
【０００８】
請求項２に記載の発明によれば、吸気弁の作用角が前記所定値よりも大きいときには、吸気行程が開始する前に燃料供給を完了させることを特徴とする請求項１に記載の内燃機関の燃料供給制御装置が提供される。
【０００９】
請求項１及び２に記載の内燃機関の燃料供給制御装置では、燃料を蒸発させて均質な混合気を形成するために燃料を早めに供給する場合、吸気管負圧が高いときには、供給された燃料が蒸発し易いために壁面に付着しづらいものの、吸気管負圧が低いときには、供給された燃料が蒸発しづらいために壁面に付着してしまう点に鑑み、吸気弁のバルブ開特性に応じて燃料供給時期が決定される。詳細には、吸気弁の作用角が所定値以下のときには吸気行程に同期させて燃料が供給され、吸気弁の作用角がその所定値よりも大きいときには吸気行程が開始する前に燃料供給が完了せしめられる。言い換えれば、吸気弁の作用角が所定値以下のときには吸気弁の開弁期間中に燃料噴射弁から燃料が噴射され、吸気弁の作用角がその所定値よりも大きいときには吸気弁の開弁動作が開始する前に燃料噴射弁からの燃料噴射が完了せしめられる。その結果、吸気弁の作用角が小さいために吸気管負圧が低くなるときに供給された燃料が壁面に付着してしまうのを効果的に抑制すると共に、吸気弁の作用角が大きいために吸気管負圧が高くなるときに供給された燃料の霧化を促進し、燃焼性を向上させることができる。
【００１０】
請求項３に記載の発明によれば、燃料供給が行われる内燃機関の燃料供給制御装置において、吸気弁のバルブ開特性に応じて燃料供給時期を決定し、吸気弁の作用角が小さくなるに従って燃料供給時期を遅角させることを特徴とする内燃機関の燃料供給制御装置が提供される。
【００１１】
請求項３に記載の内燃機関の燃料供給制御装置では、燃料供給時期が吸気弁の所定作用角を境としてステップ状に切換えられるのではなく、吸気弁の作用角が小さくなるに従って燃料供給時期が遅角せしめられる。このことによっても、吸気弁の作用角が小さいために吸気管負圧が低くなるときに供給された燃料が壁面に付着してしまうのを効果的に抑制すると共に、吸気弁の作用角が大きいために吸気管負圧が高くなるときに供給された燃料の霧化を促進し、燃焼性を向上させることができる。
【００１２】
なお、本発明の一実施形態によれば、燃料供給が行われる内燃機関の燃料供給制御装置において、吸入空気量に応じて燃料供給時期を決定したことを特徴とする内燃機関の燃料供給制御装置が提供される。
【００１３】
また、この実施形態の一変形例によれば、吸入空気量が所定量以下のときには、吸気行程に同期させて燃料を供給することを特徴とする内燃機関の燃料供給制御装置が提供される。
【００１４】
この変形例の更なる変形例によれば、吸入空気量が前記所定量よりも多いときには、吸気行程が開始する前に燃料供給を完了させることを特徴とする内燃機関の燃料供給制御装置が提供される。
【００１５】
上記実施形態の別の変形例によれば、吸入空気量が所定量以下のときには、吸気弁の開弁期間中に燃料噴射弁から燃料を噴射することを特徴とする内燃機関の燃料供給制御装置が提供される。
【００１６】
この変形例の更なる変形例によれば、吸入空気量が前記所定量よりも多いときには、吸気弁の開弁動作が開始する前に燃料噴射弁からの燃料噴射を完了させることを特徴とする内燃機関の燃料供給制御装置が提供される。
【００１７】
上述した実施形態及びその変形例等の内燃機関の燃料供給制御装置では、燃料を蒸発させて均質な混合気を形成するために燃料を早めに供給する場合、吸入空気量が多いときには、供給された燃料が壁面に付着してもその付着燃料が吸入空気によって再び持ち去られるものの、吸入空気量が少ないときには、供給された燃料が持ち去られることなく壁面に付着したままになってしまう点に鑑み、燃料供給時期が吸入空気量に応じて決定される。詳細には、吸入空気量が所定量以下のときには吸気行程に同期させて燃料が供給され、吸入空気量がその所定量よりも多いときには吸気行程が開始する前に燃料供給が完了せしめられる。言い換えれば、吸入空気量が所定量以下のときには吸気弁の開弁期間中に燃料噴射弁から燃料が噴射され、吸入空気量がその所定量よりも多いときには吸気弁の開弁動作が開始する前に燃料噴射弁からの燃料噴射が完了せしめられる。そのため、吸入空気量が少ないときに供給された燃料が壁面に付着してしまうのを効果的に抑制すると共に、吸入空気量が多いときに供給された燃料の霧化を促進し、燃焼性を向上させることができる。
【００１８】
上記実施形態の更に別の変形例によれば、吸入空気量が少なくなるに従って燃料供給時期を遅角させることを特徴とする内燃機関の燃料供給制御装置が提供される。
【００１９】
この変形例の内燃機関の燃料供給制御装置では、燃料供給時期が所定吸入空気量を境としてステップ状に切換えられるのではなく、吸入空気量が少なくなるに従って燃料供給時期が遅角せしめられる。このことによっても、吸入空気量が少ないときに供給された燃料が壁面に付着してしまうのを効果的に抑制すると共に、吸入空気量が多いときに供給された燃料の霧化を促進し、燃焼性を向上させることができる。
【００２０】
本発明の他の実施形態によれば、燃料供給が行われる内燃機関の燃料供給制御装置において、吸気管負圧に応じて燃料供給時期を決定したことを特徴とする内燃機関の燃料供給制御装置が提供される。
【００２１】
また、この実施形態の一変形例によれば、吸気管負圧が所定値以下のときには、吸気行程に同期させて燃料を供給することを特徴とする内燃機関の燃料供給制御装置が提供される。
【００２２】
この変形例の更なる変形例によれば、吸気管負圧が前記所定値よりも高いときには、吸気行程が開始する前に燃料供給を完了させることを特徴とするに記載の内燃機関の燃料供給制御装置が提供される。
【００２３】
上記他の実施形態の別の変形例によれば、吸気管負圧が所定値以下のときには、吸気弁の開弁期間中に燃料噴射弁から燃料を噴射することを特徴とする内燃機関の燃料供給制御装置が提供される。
【００２４】
この変形例の更なる変形例によれば、吸気管負圧が前記所定値よりも高いときには、吸気弁の開弁動作が開始する前に燃料噴射弁からの燃料噴射を完了させることを特徴とする内燃機関の燃料供給制御装置が提供される。
【００２５】
上述した他の実施形態及びその変形例等の内燃機関の燃料供給制御装置では、燃料を蒸発させて均質な混合気を形成するために燃料を早めに供給する場合、吸気管負圧が高いときには、供給された燃料が蒸発し易いために壁面に付着しづらいものの、吸気管負圧が低いときには、供給された燃料が蒸発しづらいために壁面に付着してしまう点に鑑み、吸気管負圧に応じて燃料供給時期が決定される。詳細には、吸気管負圧が所定値以下のときには吸気行程に同期させて燃料が供給され、吸気管負圧がその所定値よりも高いときには吸気行程が開始する前に燃料供給が完了せしめられる。言い換えれば、吸気管負圧が所定値以下のときには吸気弁の開弁期間中に燃料噴射弁から燃料が噴射され、吸気管負圧がその所定値よりも高いときには吸気弁の開弁動作が開始する前に燃料噴射弁からの燃料噴射が完了せしめられる。そのため、吸気管負圧が低いときに供給された燃料が壁面に付着してしまうのを効果的に抑制すると共に、吸気管負圧が高いときに供給された燃料の霧化を促進し、燃焼性を向上させることができる。
【００２６】
上記他の実施形態の更に別の変形例によれば、吸気管負圧が低くなるに従って燃料供給時期を遅角させることを特徴とする内燃機関の燃料供給制御装置が提供される。
【００２７】
この変形例の内燃機関の燃料供給制御装置では、燃料供給時期が吸気管負圧の所定値を境としてステップ状に切換えられるのではなく、吸気管負圧が低くなるに従って燃料供給時期が遅角せしめられる。このことによっても、吸気管負圧が低いときに供給された燃料が壁面に付着してしまうのを効果的に抑制すると共に、吸気管負圧が高いときに供給された燃料の霧化を促進し、燃焼性を向上させることができる。
【００２８】
本発明の更に他の実施形態によれば、燃料供給が行われる内燃機関の燃料供給制御装置において、吸入空気量が所定量以下のときであって吸気管負圧が所定値以下のときには、吸気行程に同期させて燃料を供給することを特徴とする内燃機関の燃料供給制御装置が提供される。
【００２９】
この実施形態の内燃機関の燃料供給制御装置では、吸入空気量が所定量以下のときであって吸気管負圧が所定値以下のときには吸気行程に同期させて燃料が供給される。そのため、吸入空気量が少ないときであって吸気管負圧が低いときに供給された燃料が壁面に付着してしまうのを効果的に抑制することができる。
【００３０】
本発明の別の実施形態によれば、燃料供給が行われる内燃機関の燃料供給制御装置において、吸入空気量が所定量よりも多いとき、あるいは、吸気管負圧が所定値よりも高いときには、吸気行程が開始する前に燃料供給を完了させることを特徴とする内燃機関の燃料供給制御装置が提供される。
【００３１】
この実施形態の内燃機関の燃料供給制御装置では、吸入空気量が所定量よりも多いとき、あるいは、吸気管負圧が所定値よりも高いときには、吸気行程が開始する前に燃料供給が完了せしめられる。そのため、吸入空気量が多いとき、あるいは、吸気管負圧が高いときに、供給された燃料の霧化を促進し、燃焼性を向上させることができる。
【００３２】
本発明の更に別の実施形態によれば、燃料供給が行われる内燃機関の燃料供給制御装置において、スロットル弁開度に応じて燃料供給時期を決定したことを特徴とする内燃機関の燃料供給制御装置が提供される。
【００３３】
また、この実施形態の一変形例によれば、スロットル弁開度が所定値以上のときには、吸気行程に同期させて燃料を供給することを特徴とする内燃機関の燃料供給制御装置が提供される。
【００３４】
この変形例の更なる変形例によれば、スロットル弁開度が前記所定値よりも小さいときには、吸気行程が開始する前に燃料供給を完了させることを特徴とする内燃機関の燃料供給制御装置が提供される。
【００３５】
上記更に別の実施形態の他の変形例によれば、スロットル弁開度が所定値以上のときには、吸気弁の開弁期間中に燃料噴射弁から燃料を噴射することを特徴とする内燃機関の燃料供給制御装置が提供される。
【００３６】
この変形例の更なる変形例によれば、スロットル弁開度が前記所定値よりも小さいときには、吸気弁の開弁動作が開始する前に燃料噴射弁からの燃料噴射を完了させることを特徴とする内燃機関の燃料供給制御装置が提供される。
【００３７】
上述した更に別の実施形態及びその変形例等の内燃機関の燃料供給制御装置では、燃料を蒸発させて均質な混合気を形成するために燃料を早めに供給する場合、吸気管負圧が高いときには、供給された燃料が蒸発し易いために壁面に付着しづらいものの、吸気管負圧が低いときには、供給された燃料が蒸発しづらいために壁面に付着してしまう点に鑑み、スロットル弁開度に応じて燃料供給時期が決定される。詳細には、スロットル弁開度が所定値以上のときには吸気行程に同期させて燃料が供給され、スロットル弁開度がその所定値よりも小さいときには吸気行程が開始する前に燃料供給が完了せしめられる。言い換えれば、スロットル弁開度が所定値以上のときには吸気弁の開弁期間中に燃料噴射弁から燃料が噴射され、スロットル弁開度がその所定値よりも小さいときには吸気弁の開弁動作が開始する前に燃料噴射弁からの燃料噴射が完了せしめられる。その結果、スロットル弁開度が大きいために吸気管負圧が低くなるときに供給された燃料が壁面に付着してしまうのを効果的に抑制すると共に、スロットル弁開度が小さいために吸気管負圧が高くなるときに供給された燃料の霧化を促進し、燃焼性を向上させることができる。
【００３８】
上記更に別の実施形態の更に他の変形例によれば、スロットル弁開度が大きくなるに従って燃料供給時期を遅角させることを特徴とする内燃機関の燃料供給制御装置が提供される。
【００３９】
この変形例の内燃機関の燃料供給制御装置では、燃料供給時期が所定スロットル弁開度を境としてステップ状に切換えられるのではなく、スロットル弁開度が大きくなるに従って燃料供給時期が遅角せしめられる。このことによっても、スロットル弁開度が大きいために吸気管負圧が低くなるときに供給された燃料が壁面に付着してしまうのを効果的に抑制すると共に、スロットル弁開度が小さいために吸気管負圧が高くなるときに供給された燃料の霧化を促進し、燃焼性を向上させることができる。
【発明の効果】
【００４０】
請求項１〜３に記載の発明は、吸気弁の作用角が小さいために吸気管負圧が低くなるときに供給された燃料が壁面に付着してしまうのを効果的に抑制することができるという共通の効果を奏する。
【発明を実施するための最良の形態】
【００４１】
以下、添付図面を用いて本発明の実施形態について説明する。
【００４２】
図１は本発明の内燃機関の燃料供給制御装置の第一の実施形態の概略構成図、図２は図１に示した内燃機関の燃料供給制御装置の吸気系等の詳細図である。図１及び図２において、１は内燃機関、２は吸気弁、３は排気弁、４は吸気弁を開閉させるためのカム、５は排気弁を開閉させるためのカム、６は吸気弁用カム４を担持しているカムシャフト、７は排気弁用カム５を担持しているカムシャフトである。図３は図１に示した吸気弁用カム及びカムシャフトの詳細図である。図３に示すように、本実施形態のカム４のカムプロフィルは、カムシャフト中心軸線の方向に変化している。つまり、本実施形態のカム４は、図３の左端のノーズ高さが右端のノーズ高さよりも大きくなっている。すなわち、本実施形態の吸気弁２のバルブリフト量は、バルブリフタがカム４の左端と接しているときよりも、バルブリフタがカム４の右端と接しているときの方が小さくなる。
【００４３】
図１及び図２の説明に戻り、８は気筒内に形成された燃焼室、９はバルブリフト量を変更するために吸気弁２に対してカム４をカムシャフト中心軸線の方向に移動させるためのバルブリフト量変更装置である。つまり、バルブリフト量変更装置９を作動することにより、カム４の左端（図３）においてカム４とバルブリフタとを接触させたり、カム４の右端（図３）においてカム４とバルブリフタとを接触させたりすることができる。バルブリフト量変更装置９によって吸気弁２のバルブリフト量が変更されると、それに伴って、吸気弁２の開口面積が変更されることになる。本実施形態の吸気弁２では、バルブリフト量が増加されるに従って吸気弁２の開口面積が増加するようになっている。１０はバルブリフト量変更装置９を駆動するためのドライバ、１１は吸気弁２の開弁期間を変更することなく吸気弁の開閉タイミングをシフトさせるための開閉タイミングシフト装置である。つまり、開閉タイミングシフト装置１１を作動することにより、吸気弁２の開閉タイミングを進角側にシフトさせたり、遅角側にシフトさせたりすることができる。１２は開閉タイミングシフト装置１１を作動するための油圧を制御するオイルコントロールバルブである。尚、本実施形態における可変動弁機構には、バルブリフト量変更装置９及び開閉タイミングシフト装置１１の両者が含まれることになる。
【００４４】
１３はクランクシャフト、１４はオイルパン、１５は燃料噴射弁、１６は吸気弁２のバルブリフト量及び開閉タイミングシフト量を検出するためのセンサ、１７は機関回転数を検出するためのセンサである。１８は吸気管内の負圧を検出するための吸気管圧センサ、１９はエアフローメータ、２０は内燃機関冷却水の温度を検出するための冷却水温センサ、２１は気筒内に供給される吸入空気の吸気管内における温度を検出するための吸入空気温センサ、２２はＥＣＵ（電子制御装置）である。５０はシリンダ、５１，５２は吸気管、５３はサージタンク、５４は排気管、５５は点火栓、５６はアクセルペダル開度とは無関係に開度が変更せしめられるスロットル弁である。図２に詳細に示すように、第一の実施形態の燃料噴射弁１５は吸気管５１内に配置されている。
【００４５】
図４は図１に示したバルブリフト量変更装置等の詳細図である。図４において、３０は吸気弁用カムシャフト６に連結された磁性体、３１は磁性体３０を左側に付勢するためのコイル、３２は磁性体３０を右側に付勢するための圧縮ばねである。コイル３１に対する通電量が増加されるに従って、カム４及びカムシャフト６が左側に移動する量が増加し、吸気弁２のバルブリフト量が減少せしめられることになる。
【００４６】
図５はバルブリフト量変更装置が作動されるのに伴って吸気弁のバルブリフト量が変化する様子を示した図である。図５に示すように、コイル３１に対する通電量が減少されるに従って、吸気弁２のバルブリフト量が増加せしめられる（実線→破線→一点鎖線）。また本実施形態では、バルブリフト量変更装置９が作動されるのに伴って、吸気弁２の開弁期間も変更せしめられる。つまり、吸気弁２の作用角も変更せしめられる。詳細には、吸気弁２のバルブリフト量が増加せしめられるのに伴って、吸気弁２の作用角が増加せしめられる（実線→破線→一点鎖線）。更に本実施形態では、バルブリフト量変更装置９が作動されるのに伴って、吸気弁２のバルブリフト量がピークとなるタイミングも変更せしめられる。詳細には、吸気弁２のバルブリフト量が増加せしめられるのに伴って、吸気弁２のバルブリフト量がピークとなるタイミングが遅角せしめられる（実線→破線→一点鎖線）。
【００４７】
図６は図１に示した開閉タイミングシフト装置等の詳細図である。図６において、４０は吸気弁２の開閉タイミングを進角側にシフトさせるための進角側油路、４１は吸気弁２の開閉タイミングを遅角側にシフトさせるための遅角側油路、４２はオイルポンプである。進角側油路４０内の油圧が増加されるに従い、吸気弁２の開閉タイミングが進角側にシフトせしめられる。つまり、クランクシャフト１３に対するカムシャフト６の回転位相が進角せしめられる。一方、遅角側油路４１の油圧が増加されるに従い、吸気弁２の開閉タイミングが遅角側にシフトせしめられる。つまり、クランクシャフト１３に対するカムシャフト６の回転位相が遅角せしめられる。
【００４８】
図７は開閉タイミングシフト装置が作動されるのに伴って吸気弁の開閉タイミングがシフトする様子を示した図である。図７に示すように、進角側油路４０内の油圧が増加されるに従って吸気弁２の開閉タイミングが進角側にシフトされる（実線→破線→一点鎖線）。このとき、吸気弁２の開弁期間は変更されない、つまり、吸気弁２が開弁している期間の長さは変更されない。
【００４９】
図８は第一の実施形態の変形例の図２と同様の図である。図８において、図２に示した参照番号と同一の参照番号は、図２に示した部品又は部分と同一の部品又は部分を示している。１５’は吸気管５１内ではなくシリンダ５０内に配置されている燃料噴射弁である。
【００５０】
上述した第一の実施形態において、例えば吸入空気量が少ないとき、燃料噴射弁１５から噴射された燃料を蒸発させて均質な混合気を形成することを目的として燃料を燃料噴射弁１５から早めに噴射してしまうと、噴射された燃料が吸気管５１の壁面に付着し、吸入空気によって持ち去られることなく付着したままになるおそれが生じてしまう。また、上述した第一の実施形態の変形例においては、例えば吸入空気量が少ないとき、燃料噴射弁１５’から噴射された燃料を蒸発させて均質な混合気を形成することを目的として燃料を燃料噴射弁１５’から早めに噴射してしまうと、噴射された燃料がシリンダ５０の壁面に付着し、吸入空気によって持ち去られることなく付着したままになるおそれが生じてしまう。そこで第一の実施形態及びその変形例では、後述するような燃料供給制御が行われる。
【００５１】
図９は第一の実施形態及びその変形例の燃料供給制御方法を示したフローチャートである。このルーチンは所定時間間隔で実行される。図９に示すように、このルーチンが開始されると、まずステップ１００においてエアフローメータ１９の出力値に基づいて算出された吸入空気量が所定量以下であるか否かが判断される。ＹＥＳのときにはステップ１０１に進み、ＮＯのときにはステップ１０３に進む。ステップ１０１では、吸気管圧センサ１８の出力値に基づいて算出された吸気管負圧が所定値以下であるか否かが判断される。ＹＥＳのときにはステップ１０２に進み、ＮＯのときにはステップ１０３に進む。尚、吸気管負圧が高いとは、吸気管内の絶対圧力が低いことをいい、吸気管負圧が低くなるに従って吸気管内の圧力は大気圧に近づくことになる。
【００５２】
ステップ１０２では、燃料噴射時期が吸気弁２の開弁期間に同期せしめられる。つまり、吸気弁２の開弁期間中に燃料噴射弁１５，１５’から燃料が噴射される。言い換えれば、吸気行程に同期させて燃料が供給されることになる。一方、ステップ１０３では、吸気弁２の開弁動作が開始する前に燃料噴射が完了せしめられる。言い換えれば、吸気行程が開始する前に燃料供給が完了せしめられる。
【００５３】
第一の実施形態によれば、燃料供給時期が吸入空気量に応じて決定される。詳細には、ステップ１００において吸入空気量が所定量以下であると判断されたときには、ステップ１０２において吸気行程に同期させて燃料が供給される。一方、ステップ１００において吸入空気量がその所定量よりも多いと判断されたときには、ステップ１０３において吸気行程が開始する前に燃料供給が完了せしめられる。言い換えれば、ステップ１００において吸入空気量が所定量以下であると判断されたときには、ステップ１０２において吸気弁２の開弁期間中に燃料噴射弁１５から燃料が噴射される。一方、ステップ１００において吸入空気量がその所定量よりも多いと判断されたときには、ステップ１０３において吸気弁２の開弁動作が開始する前に燃料噴射弁１５からの燃料噴射が完了せしめられる。そのため、吸入空気量が少ないときに燃料噴射弁１５から供給された燃料が吸気管５１の壁面に付着してしまうのを効果的に抑制すると共に、吸入空気量が多いときに燃料噴射弁１５から供給された燃料の霧化を促進し、燃焼性を向上させることができる。
【００５４】
また第一の実施形態によれば、吸気管負圧に応じて燃料供給時期が決定される。詳細には、ステップ１０１において吸気管負圧が所定値以下であると判断されたときには、ステップ１０２において吸気行程に同期させて燃料が供給される。一方、ステップ１０１において吸気管負圧がその所定値よりも高いと判断されたときには、ステップ１０３において吸気行程が開始する前に燃料供給が完了せしめられる。言い換えれば、ステップ１０１において吸気管負圧が所定値以下であると判断されたときには、吸気弁２の開弁期間中に燃料噴射弁１５から燃料が噴射される。一方、ステップ１０１において吸気管負圧がその所定値よりも高いと判断されたときには、吸気弁２の開弁動作が開始する前に燃料噴射弁１５からの燃料噴射が完了せしめられる。そのため、吸気管負圧が低いときに燃料噴射弁１５から供給された燃料が吸気管５１の壁面に付着してしまうのを効果的に抑制すると共に、吸気管負圧が高いときに燃料噴射弁１５から供給された燃料の霧化を促進し、燃焼性を向上させることができる。
【００５５】
第一の実施形態の変形例によれば、燃料供給時期が吸入空気量に応じて決定される。詳細には、ステップ１００において吸入空気量が所定量以下であると判断されたときには、ステップ１０２において吸気行程に同期させて燃料が供給される。一方、ステップ１００において吸入空気量がその所定量よりも多いと判断されたときには、ステップ１０３において吸気行程が開始する前に燃料供給が完了せしめられる。言い換えれば、ステップ１００において吸入空気量が所定量以下であると判断されたときには、ステップ１０２において吸気弁２の開弁期間中に燃料噴射弁１５’から燃料が噴射される。一方、ステップ１００において吸入空気量がその所定量よりも多いと判断されたときには、ステップ１０３において吸気弁２の開弁動作が開始する前に燃料噴射弁１５’からの燃料噴射が完了せしめられる。そのため、吸入空気量が少ないときに燃料噴射弁１５’から供給された燃料がシリンダ５０の壁面に付着してしまうのを効果的に抑制すると共に、吸入空気量が多いときに燃料噴射弁１５’から供給された燃料の霧化を促進し、燃焼性を向上させることができる。
【００５６】
また第一の実施形態の変形例によれば、吸気管負圧に応じて燃料供給時期が決定される。詳細には、ステップ１０１において吸気管負圧が所定値以下であると判断されたときには、ステップ１０２において吸気行程に同期させて燃料が供給される。一方、ステップ１０１において吸気管負圧がその所定値よりも高いと判断されたときには、ステップ１０３において吸気行程が開始する前に燃料供給が完了せしめられる。言い換えれば、ステップ１０１において吸気管負圧が所定値以下であると判断されたときには、吸気弁２の開弁期間中に燃料噴射弁１５’から燃料が噴射される。一方、ステップ１０１において吸気管負圧がその所定値よりも高いと判断されたときには、吸気弁２の開弁動作が開始する前に燃料噴射弁１５’からの燃料噴射が完了せしめられる。そのため、吸気管負圧が低いときに燃料噴射弁１５’から供給された燃料がシリンダ５０の壁面に付着してしまうのを効果的に抑制すると共に、吸気管負圧が高いときに燃料噴射弁１５’から供給された燃料の霧化を促進し、燃焼性を向上させることができる。
【００５７】
以下、本発明の内燃機関の燃料供給制御装置の第二の実施形態及びその変形例について説明する。第二の実施形態の構成は図１〜図７に示した第一の実施形態の構成とほぼ同様であり、第二の実施形態の変形例の構成は図８に示した第一の実施形態の変形例の構成とほぼ同様である。従って、第二の実施形態及びその変形例によれば、後述する点を除き、第一の実施形態及びその変形例とほぼ同様の効果を奏することができる。
【００５８】
図１０は第二の実施形態及びその変形例の燃料供給制御方法を示したフローチャートである。このルーチンは、第一の実施形態及びその変形例と同様に、所定時間間隔で実行される。図１０に示すように、このルーチンが開始されると、まずステップ１００において、第一の実施形態及びその変形例と同様に、エアフローメータ１９の出力値に基づいて算出された吸入空気量が所定量以下であるか否かが判断される。ＹＥＳのときにはステップ２００に進み、ＮＯのときにはステップ１０３に進む。ステップ２００では、センサ１６の出力値に基づいて算出された吸気管２の作用角が所定値以下であるか否かが判断される。ＹＥＳのときにはステップ１０２に進み、ＮＯのときにはステップ１０３に進む。ステップ１０２では、第一の実施形態及びその変形例と同様に、燃料噴射時期が吸気弁２の開弁期間に同期せしめられる。一方、ステップ１０３では、第一の実施形態及びその変形例と同様に、吸気弁２の開弁動作が開始する前に燃料噴射が完了せしめられる。
【００５９】
第二の実施形態によれば、吸気弁２のバルブ開特性に応じて燃料供給時期が決定される。詳細には、ステップ２００において吸気弁２の作用角が所定値以下であると判断されたときには、ステップ１０２において吸気行程に同期させて燃料が供給される。一方、ステップ２００において吸気弁２の作用角がその所定値よりも大きいと判断されたときには、ステップ１０３において吸気行程が開始する前に燃料供給が完了せしめられる。言い換えれば、ステップ２００において吸気弁２の作用角が所定値以下であると判断されたときには、吸気弁２の開弁期間中に燃料噴射弁１５から燃料が噴射される。一方、ステップ２００において吸気弁２の作用角がその所定値よりも大きいと判断されたときには、吸気弁２の開弁動作が開始する前に燃料噴射弁１５からの燃料噴射が完了せしめられる。その結果、吸気弁２の作用角が小さいために吸気管負圧が低くなるときに燃料噴射弁１５から供給された燃料が吸気管５１の壁面に付着してしまうのを効果的に抑制すると共に、吸気弁２の作用角が大きいために吸気管負圧が高くなるときに燃料噴射弁１５から供給された燃料の霧化を促進し、燃焼性を向上させることができる。
【００６０】
また第二の実施形態の変形例によれば、吸気弁２のバルブ開特性に応じて燃料供給時期が決定される。詳細には、ステップ２００において吸気弁２の作用角が所定値以下であると判断されたときには、ステップ１０２において吸気行程に同期させて燃料が供給される。一方、ステップ２００において吸気弁２の作用角がその所定値よりも大きいと判断されたときには、ステップ１０３において吸気行程が開始する前に燃料供給が完了せしめられる。言い換えれば、ステップ２００において吸気弁２の作用角が所定値以下であると判断されたときには、吸気弁２の開弁期間中に燃料噴射弁１５’から燃料が噴射される。一方、ステップ２００において吸気弁２の作用角がその所定値よりも大きいと判断されたときには、吸気弁２の開弁動作が開始する前に燃料噴射弁１５’からの燃料噴射が完了せしめられる。その結果、吸気弁２の作用角が小さいために吸気管負圧が低くなるときに燃料噴射弁１５’から供給された燃料がシリンダ５０の壁面に付着してしまうのを効果的に抑制すると共に、吸気弁２の作用角が大きいために吸気管負圧が高くなるときに燃料噴射弁１５’から供給された燃料の霧化を促進し、燃焼性を向上させることができる。
【００６１】
以下、本発明の内燃機関の燃料供給制御装置の第三の実施形態及びその変形例について説明する。第三の実施形態の構成は図１〜図７に示した第一の実施形態の構成とほぼ同様であり、第三の実施形態の変形例の構成は図８に示した第一の実施形態の変形例の構成とほぼ同様である。従って、第一の実施形態及びその変形例によれば、後述する点を除き、第三の実施形態及びその変形例とほぼ同様の効果を奏することができる。
【００６２】
図１１は第三の実施形態及びその変形例の燃料供給制御方法を示したフローチャートである。このルーチンは、第一の実施形態及びその変形例と同様に、所定時間間隔で実行される。図１１に示すように、このルーチンが開始されると、まずステップ１００において、第一の実施形態及びその変形例と同様に、エアフローメータ１９の出力値に基づいて算出された吸入空気量が所定量以下であるか否かが判断される。ＹＥＳのときにはステップ３００に進み、ＮＯのときにはステップ１０３に進む。ステップ３００では、スロットル弁５６の開度が所定値以上であるか否かが判断される。ＹＥＳのときにはステップ１０２に進み、ＮＯのときにはステップ１０３に進む。ステップ１０２では、第一の実施形態及びその変形例と同様に、燃料噴射時期が吸気弁２の開弁期間に同期せしめられる。一方、ステップ１０３では、第一の実施形態及びその変形例と同様に、吸気弁２の開弁動作が開始する前に燃料噴射が完了せしめられる。
【００６３】
第三の実施形態によれば、スロットル弁５６の開度に応じて燃料供給時期が決定される。詳細には、ステップ３００においてスロットル弁５６の開度が所定値以上であると判断されたときには、ステップ１０２において吸気行程に同期させて燃料が供給される。一方、ステップ３００においてスロットル弁５６の開度がその所定値よりも小さいと判断されたときには、ステップ１０３において吸気行程が開始する前に燃料供給が完了せしめられる。言い換えれば、ステップ３００においてスロットル弁５６の開度が所定値以上であると判断されたときには、吸気弁２の開弁期間中に燃料噴射弁１５から燃料が噴射される。一方、ステップ３００においてスロットル弁５６の開度がその所定値よりも小さいと判断されたときには、吸気弁２の開弁動作が開始する前に燃料噴射弁１５からの燃料噴射が完了せしめられる。その結果、スロットル弁５６の開度が大きいために吸気管負圧が低くなるときに燃料噴射弁１５から供給された燃料が吸気管５１の壁面に付着してしまうのを効果的に抑制すると共に、スロットル弁５６の開度が小さいために吸気管負圧が高くなるときに燃料噴射弁１５から供給された燃料の霧化を促進し、燃焼性を向上させることができる。
【００６４】
また第三の実施形態の変形例によれば、スロットル弁５６の開度に応じて燃料供給時期が決定される。詳細には、ステップ３００においてスロットル弁５６の開度が所定値以上であると判断されたときには、ステップ１０２において吸気行程に同期させて燃料が供給される。一方、ステップ３００においてスロットル弁５６の開度がその所定値よりも小さいと判断されたときには、ステップ１０３において吸気行程が開始する前に燃料供給が完了せしめられる。言い換えれば、ステップ３００においてスロットル弁５６の開度が所定値以上であると判断されたときには、吸気弁２の開弁期間中に燃料噴射弁１５’から燃料が噴射される。一方、ステップ３００においてスロットル弁５６の開度がその所定値よりも小さいと判断されたときには、吸気弁２の開弁動作が開始する前に燃料噴射弁１５’からの燃料噴射が完了せしめられる。その結果、スロットル弁５６の開度が大きいために吸気管負圧が低くなるときに燃料噴射弁１５’から供給された燃料がシリンダ５０の壁面に付着してしまうのを効果的に抑制すると共に、スロットル弁５６の開度が小さいために吸気管負圧が高くなるときに燃料噴射弁１５’から供給された燃料の霧化を促進し、燃焼性を向上させることができる。
【００６５】
以下、本発明の内燃機関の燃料供給制御装置の第四の実施形態及びその変形例について説明する。第四の実施形態の構成は図１〜図７に示した第一の実施形態の構成とほぼ同様であり、第四の実施形態の変形例の構成は図８に示した第一の実施形態の変形例の構成とほぼ同様である。第四の実施形態及びその変形例では、上述した第一から第三の実施形態及びそれらの変形例のように燃料供給時期が所定吸入空気量を境としてステップ状に切換えられるのではなく、吸入空気量が少なくなるに従って燃料供給時期が遅角せしめられる。
【００６６】
図１２は第四の実施形態及びその変形例における吸入空気量と燃料供給時期との関係を示した図である。図１２に示すように、燃料噴射弁１５，１５’から供給される燃料の供給時期は、吸入空気量が少なくなるに従って遅角せしめられる。詳細には、吸入空気量が少なくなるに従って燃料供給時期が遅角せしめられ、燃料は吸気行程に同期して供給されるようになる。また、吸入空気量が多くなるに従って燃料供給時期が進角せしめられ、燃料供給は吸気行程が開始する前に完了せしめられるようになる。
【００６７】
第四の実施形態によっても、吸入空気量が少ないときに燃料噴射弁１５から供給された燃料が吸気管５１の壁面に付着してしまうのを効果的に抑制すると共に、吸入空気量が多いときに燃料噴射弁１５から供給された燃料の霧化を促進し、燃焼性を向上させることができる。また第四の実施形態の変形例によっても、吸入空気量が少ないときに燃料噴射弁１５’から供給された燃料がシリンダ５０の壁面に付着してしまうのを効果的に抑制すると共に、吸入空気量が多いときに燃料噴射弁１５’から供給された燃料の霧化を促進し、燃焼性を向上させることができる。
【００６８】
以下、本発明の内燃機関の燃料供給制御装置の第五の実施形態及びその変形例について説明する。第五の実施形態の構成は図１〜図７に示した第一の実施形態の構成とほぼ同様であり、第五の実施形態の変形例の構成は図８に示した第一の実施形態の変形例の構成とほぼ同様である。第五の実施形態及びその変形例では、上述した第一の実施形態及びその変形例のように燃料供給時期が吸気管負圧の所定値を境としてステップ状に切換えられるのではなく、吸気管負圧が低くなるに従って燃料供給時期が遅角せしめられる。
【００６９】
図１３は第五の実施形態及びその変形例における吸気管負圧と燃料供給時期との関係を示した図である。図１３に示すように、燃料噴射弁１５，１５’から供給される燃料の供給時期は、吸気管負圧が低くなるに従って遅角せしめられる。詳細には、吸気管負圧が低くなるに従って燃料供給時期が遅角せしめられ、燃料は吸気行程に同期して供給されるようになる。また、吸気管負圧が高くなるに従って燃料供給時期が進角せしめられ、燃料供給は吸気行程が開始する前に完了せしめられるようになる。
【００７０】
第五の実施形態によっても、吸気管負圧が低いときに燃料噴射弁１５から供給された燃料が吸気管５１の壁面に付着してしまうのを効果的に抑制すると共に、吸気管負圧が高いときに燃料噴射弁１５から供給された燃料の霧化を促進し、燃焼性を向上させることができる。また第五の実施形態の変形例によっても、吸気管負圧が低いときに燃料噴射弁１５’から供給された燃料がシリンダ５０の壁面に付着してしまうのを効果的に抑制すると共に、吸気管負圧が高いときに燃料噴射弁１５’から供給された燃料の霧化を促進し、燃焼性を向上させることができる。
【００７１】
以下、本発明の内燃機関の燃料供給制御装置の第六の実施形態及びその変形例について説明する。第六の実施形態の構成は図１〜図７に示した第一の実施形態の構成とほぼ同様であり、第六の実施形態の変形例の構成は図８に示した第一の実施形態の変形例の構成とほぼ同様である。第六の実施形態及びその変形例では、上述した第二の実施形態及びその変形例のように燃料供給時期が吸気弁２の所定作用角を境としてステップ状に切換えられるのではなく、吸気弁２の作用角が小さくなるに従って燃料供給時期が遅角せしめられる。
【００７２】
図１４は第六の実施形態及びその変形例における吸気弁の作用角と燃料供給時期との関係を示した図である。図１４に示すように、燃料噴射弁１５，１５’から供給される燃料の供給時期は、吸気弁２の作用角が小さくなるに従って遅角せしめられる。詳細には、吸気弁２の作用角が小さくなるに従って燃料供給時期が遅角せしめられ、燃料は吸気行程に同期して供給されるようになる。また、吸気弁２の作用角が大きくなるに従って燃料供給時期が進角せしめられ、燃料供給は吸気行程が開始する前に完了せしめられるようになる。
【００７３】
第六の実施形態によっても、吸気弁２の作用角が小さいために吸気管負圧が低くなるときに燃料噴射弁１５から供給された燃料が吸気管５１の壁面に付着してしまうのを効果的に抑制すると共に、吸気弁２の作用角が大きいために吸気管負圧が高くなるときに燃料噴射弁１５から供給された燃料の霧化を促進し、燃焼性を向上させることができる。また第六の実施形態の変形例によっても、吸気弁２の作用角が小さいために吸気管負圧が低くなるときに燃料噴射弁１５’から供給された燃料がシリンダ５０の壁面に付着してしまうのを効果的に抑制すると共に、吸気弁２の作用角が大きいために吸気管負圧が高くなるときに燃料噴射弁１５’から供給された燃料の霧化を促進し、燃焼性を向上させることができる。
【００７４】
以下、本発明の内燃機関の燃料供給制御装置の第七の実施形態及びその変形例について説明する。第七の実施形態の構成は図１〜図７に示した第一の実施形態の構成とほぼ同様であり、第七の実施形態の変形例の構成は図８に示した第一の実施形態の変形例の構成とほぼ同様である。第七の実施形態及びその変形例では、上述した第三の実施形態及びその変形例のように燃料供給時期が所定スロットル弁開度を境としてステップ状に切換えられるのではなく、スロットル弁５６の開度が大きくなるに従って燃料供給時期が遅角せしめられる。
【００７５】
図１５は第七の実施形態及びその変形例におけるスロットル弁開度と燃料供給時期との関係を示した図である。図１５に示すように、燃料噴射弁１５，１５’から供給される燃料の供給時期は、スロットル弁５６の開度が大きくなるに従って遅角せしめられる。詳細には、スロットル弁５６の開度が大きくなるに従って燃料供給時期が遅角せしめられ、燃料は吸気行程に同期して供給されるようになる。また、スロットル弁５６の開度が小さくなるに従って燃料供給時期が進角せしめられ、燃料供給は吸気行程が開始する前に完了せしめられるようになる。
【００７６】
第七の実施形態によっても、スロットル弁５６の開度が大きいために吸気管負圧が低くなるときに燃料噴射弁１５から供給された燃料が吸気管５１の壁面に付着してしまうのを効果的に抑制すると共に、スロットル弁５６の開度が小さいために吸気管負圧が高くなるときに燃料噴射弁１５から供給された燃料の霧化を促進し、燃焼性を向上させることができる。また第七の実施形態の変形例によっても、スロットル弁５６の開度が大きいために吸気管負圧が低くなるときに燃料噴射弁１５’から供給された燃料がシリンダ５０の壁面に付着してしまうのを効果的に抑制すると共に、スロットル弁５６の開度が小さいために吸気管負圧が高くなるときに燃料噴射弁１５’から供給された燃料の霧化を促進し、燃焼性を向上させることができる。
【００７７】
尚、詳細には説明しないが、他の実施形態においては、上述した実施形態及びそれらの変形例を必要に応じて適宜組み合わせて実施することも可能である。
【図面の簡単な説明】
【００７８】
【図１】本発明の内燃機関の燃料供給制御装置の第一の実施形態の概略構成図である。
【図２】図１に示した内燃機関の燃料供給制御装置の吸気系等の詳細図である。
【図３】図１に示した吸気弁用カム及びカムシャフトの詳細図である。
【図４】図１に示したバルブリフト量変更装置等の詳細図である。
【図５】バルブリフト量変更装置が作動されるのに伴って吸気弁のバルブリフト量が変化する様子を示した図である。
【図６】図１に示した開閉タイミングシフト装置等の詳細図である。
【図７】開閉タイミングシフト装置が作動されるのに伴って吸気弁の開閉タイミングがシフトする様子を示した図である。
【図８】第一の実施形態の変形例の図２と同様の図である。
【図９】第一の実施形態及びその変形例の燃料供給制御方法を示したフローチャートである。
【図１０】第二の実施形態及びその変形例の燃料供給制御方法を示したフローチャートである。
【図１１】第三の実施形態及びその変形例の燃料供給制御方法を示したフローチャートである。
【図１２】第四の実施形態及びその変形例における吸入空気量と燃料供給時期との関係を示した図である。
【図１３】第五の実施形態及びその変形例における吸気管負圧と燃料供給時期との関係を示した図である。
【図１４】第六の実施形態及びその変形例における吸気弁の作用角と燃料供給時期との関係を示した図である。
【図１５】第七の実施形態及びその変形例におけるスロットル弁開度と燃料供給時期との関係を示した図である。
【符号の説明】
【００７９】
１    内燃機関
２    吸気弁
４，５    カム
６，７    カムシャフト
９    バルブリフト量変更装置
１１    開閉タイミングシフト装置
１５，１５’    燃料噴射弁
１８    吸気管圧センサ
１９    エアフローメータ
５６    スロットル弁
【図１】
2005307984.tif 000003
【図２】
2005307984.tif 000004
【図３】
2005307984.tif 000005
【図４】
2005307984.tif 000006
【図５】
2005307984.tif 000007
【図６】
2005307984.tif 000008
【図７】
2005307984.tif 000009
【図８】
2005307984.tif 000010
【図９】
2005307984.tif 000011
【図１０】
2005307984.tif 000012
【図１１】
2005307984.tif 000013
【図１２】
2005307984.tif 000014
【図１３】
2005307984.tif 000015
【図１４】
2005307984.tif 000016
【図１５】
2005307984.tif 000017